(57)【要約】【課題】温度に対する歩度の変化を補正すると共に、気候の推移がもたらす湿度変動の影響による歩度の変化を補正し、気候の推移による歩度の変化を最小限とするきわめて高精度な電子時計を実現する。【解決手段】発振信号Ｐ１を出力する発振回路１と、発振信号Ｐ１を分周して計時信号Ｐ２を出力する分周回路２と、計時信号Ｐ２を入力して月データＰ７を出力する計時部３と、温度データＰ９を出力する温度測定回路６と、計時信号Ｐ２の歩度を調整する歩度調整部７を有し、前記月データＰ７と温度データＰ９を入力して温度と湿度に対応して歩度補正信号を出力する歩度補正制御部５を設け、歩度調整部７は歩度補正制御部５からの歩度補正信号を入力して歩度調整を行う構成とする。【選択図】      図１
2004184199.tif 000002
【特許請求の範囲】
【請求項１】
基準信号を発生する基準信号発生手段と、前記基準信号に基づき計時情報を出力する計時部と、前記計時情報に基づき歩度の補正値を算出し歩度を補正する歩度補正信号を出力する歩度補正制御手段と、該歩度補正制御手段からの歩度補正信号に基づき前記基準信号発生手段の基準信号の歩度を調整する歩度調整手段とを有することを特徴とする電子時計。
【請求項２】
前記基準信号発生手段は、前記基準信号としての発振信号を出力する発振部と、前記発振信号を分周して前記基準信号としての計時信号を出力する分周部と、より成ることを特徴とする請求項１記載の電子時計。
【請求項３】
更に、温度を測定する温度測定手段を有し、前記計時部からの計時情報と前記温度測定手段からの温度情報とに基づく歩度を補正する歩度補正信号を出力し、該歩度補正信号に基づき歩度調整する様に構成したことを特徴とする請求項２記載の電子時計。
【請求項４】
更に、特定の情報を記憶する情報記憶手段を有し、前記計時部からの計時情報と前記温度測定手段からの温度情報と前記情報記憶手段からの記憶情報とに基づく歩度を補正する歩度補正信号を出力し、該歩度補正信号に基づき歩度調整する様に構成したことを特徴とする請求項２又は３に記載の電子時計。
【請求項５】
前記歩度調整手段は発振周波数調整手段と分周調整手段とにより構成され、前記発振周波数調整手段は前記歩度補正制御手段からの第１の歩度補正信号を入力して前記発振部からの発振信号を調整し、前記分周調整手段は前記歩度補正制御手段からの第２の歩度補正信号を入力して前記分周部の分周比を調整して前記計時信号の歩度調整を行う様に構成したことを特徴とする請求項２乃至４何れかに記載の電子時計。
【請求項６】
前記計時部はカレンダ情報を計時するカレンダ計時手段を有し、前記計時情報はカレンダ情報であることを特徴とする請求項１乃至５何れかに記載の電子時計。
【請求項７】
前記歩度補正制御手段は、前記カレンダ計時手段からのカレンダ情報に基づき対応する湿度の補正データを演算する湿度補正演算回路を有することを特徴とする請求項１乃至６何れかに記載の電子時計。
【請求項８】
基準信号を発生する工程と、前記基準信号に基づき計時情報を計時する工程と、前記計時情報に基づき歩度の補正値を算出する工程と、前記歩度の補正値に基づき前記基準信号の歩度を調整する工程とを有することを特徴とする電子時計の制御方法。
【請求項９】
基準信号を発生する工程と、前記基準信号に基づき計時情報を計時する工程と、温度情報を測定する工程と、前記計時情報と前記温度情報に基づき歩度の補正値を算出する工程と、前記歩度の補正値に基づき前記基準信号の歩度を調整する工程とを有することを特徴とする電子時計の制御方法。
【請求項１０】
更に、カレンダ情報に基づき対応する湿度の補正データを演算する工程を有することを特徴とする請求項８又は９記載の電子時計の制御方法。
【発明の詳細な説明】
【０００１】
【発明の属する技術分野】
本発明は水晶発振回路を発振信号源とする高精度電子時計の歩度調整に関するものである。
【０００２】
【従来の技術】
従来、電子時計は水晶発振回路を発振信号源とする水晶式電子時計技術が確立され、低価格で高精度な電子時計が大量生産されている。しかし、水晶式電子時計の心臓部である水晶振動子は製造バラツキにより個々の発振周波数が微妙に異なるために、高精度の電子時計を実現するためには、個々の時計毎に発振周波数を調整する歩度調整手段が不可欠である。この歩度調整手段としては当初は水晶発振回路にトリマコンデンサを付加し、発振周波数そのものを可変して調整していたが、トリマコンデンサの実装工数や調整工数による製品価格への影響が大きく、また、トリマコンデンサの経時変化による安定性にも大きな問題があった。
【０００３】
このため、トリマコンデンサ等の電子部品を使用せず、発振信号源を分周する分周回路に分周比を調整する分周調整手段を付加し、デジタル技術で個々の水晶振動子のバラツキを調整する技術が開発され製品化されている（例えば、特許文献１参照）。このデジタル技術による歩度調整手段によれば、時計用ＩＣの内部に歩度調整手段を組み込めるので部品点数を削減でき、また、歩度調整工程を自動化できるので調整工数も削減でき、更には、デジタル技術による調整手段であるために安定性に優れ、時計の低価格化、高精度化に大きく貢献している。
【０００４】
しかし、更に高精度な電子時計、具体的には１年間の誤差が±５秒程度の年差時計と呼ばれる高精度な電子時計を実現するためには、水晶発振回路の温度特性を無視することが出来ない。図９は時計用途として大量生産されている音叉型水晶振動子の発振周波数の温度特性の一例を示しており、Ｘ軸は温度、Ｙ軸は発振周波数の周波数偏差（単位ｐｐｍ）である。この音叉型水晶振動子の温度特性は室温近傍に頂点温度のある２次曲線となっており、常温付近では発振周波数は安定しているが、温度が常温から離れるほど発振周波数は低くなるので、時計の歩度が狂う結果となる。
【０００５】
例えば、図示する如く温度０℃付近の発振周波数は、常温（２４℃位）に対して−２０ｐｐｍ程度変化し、これは時計が１日当たり約１．７秒遅れることを意味しており大きな問題である。このため、時計内部に温度センサを設けて時計内部の温度を測定し、この温度情報から水晶発振回路の発振周波数などを調整して温度に対して安定化させる技術が開発されている（例えば特許文献２参照）。このような技術を用いれば音叉型水晶振動子の欠点である２次曲線の温度特性を補正して温度に対してほぼフラットな発振信号を得ることが出来るので、年差時計の実現も可能である。
【０００６】
【特許文献１】
特開昭５９−１４８８９７号公報（特許請求の範囲、図２）
【特許文献２】
特開平０４−３１５９８９号公報（特許請求の範囲、図１）
【０００７】
【発明が解決しようとする課題】
しかしながら、温度センサを搭載し温度補償した高精度な電子時計の歩度の変化を１年間に渡って詳しく調べると、図１０（ａ）のような歩度の変化曲線のデータを得ることが出来た。図１０（ａ）に於いてＸ軸は１月〜１２月までの時間経過を示し、Ｙ軸は各月毎の歩度の変化を示している。図示する如く、歩度は１年間の気候の推移により、乾燥期では進む傾向にあり多湿期では遅れる傾向がある。次に図１０（ｂ）は温度センサを搭載し温度補償した高精度な電子時計の歩度の湿度特性データを示している。すなわち、時計の周囲温度を一定に保ち、湿度を変化させたときの歩度の変化を表している。
【０００８】
図１０（ｂ）で示す如く、湿度が増加すると歩度はわずかではあるが遅れる傾向にあり、湿度２０％を基準にすると湿度９０％で歩度は約０．７ｐｐｍ遅れており、この傾向は前述した図１０（ａ）のデータの傾向と一致する。すなわち、温度センサを搭載し温度補償した電子時計であっても、その時計の歩度は周囲の湿度変動に対して影響を受け、歩度が変化することがわかる。この現象の原因は、一般に電子時計に内蔵する発振回路を含んだＩＣや水晶振動子は、小型のプリント基板上に実装されているが、そのプリント基板上に実装された水晶振動子からＩＣまでの信号ライン間の浮遊容量や絶縁抵抗が、周囲の湿度変動に影響されて変化することが考えられる。
【０００９】
すなわち、プリント基板上の水晶振動子の２本の信号ライン間の浮遊容量値や絶縁抵抗値が周囲の湿度変動によって変化し、また、水晶振動子の信号ラインと回路の電源やＧＮＤ間の浮遊容量値や絶縁抵抗値も周囲の湿度変動によって変化するので、この結果、水晶発振回路の位相特性が変化し発振周波数にずれが生じる。ここで実際の湿度変動の影響による発振周波数のずれ量は、図１０（ａ）に示す如く、ずれ幅として０．３ｐｐｍ程度とわずかな量ではあるが、更に高精度な年差時計を実現するためには、歩度に対する湿度変動の影響を無視することは出来ない。
【００１０】
本発明の目的は、上記課題を解決して、温度に対する歩度の変化を補正するだけでなく、気候の推移がもたらす湿度変動の影響による時計の歩度の変化を補正し、気候の推移による歩度の変化を最小限とするきわめて高精度な電子時計を提供することである。
【００１１】
【課題を解決するための手段】
上記課題を解決するために、本発明の電子時計及びその制御方法は、下記記載の構成と方法を採用する。
【００１２】
本発明は、基準信号を発生する基準信号発生手段と、前記基準信号に基づき計時情報を出力する計時部と、前記計時情報に基づき歩度の補正値を算出し歩度を補正する歩度補正信号を出力する歩度補正制御手段と、該歩度補正制御手段からの歩度補正信号に基づき前記基準信号発生手段の基準信号の歩度を調整する歩度調整手段とを有することを特徴とする。
【００１３】
また、前記基準信号発生手段は、前記基準信号としての発振信号を出力する発振部と、前記発振信号を分周して前記基準信号としての計時信号を出力する分周部と、より成ることを特徴とする。
【００１４】
また更に、温度を測定する温度測定手段を有し、前記計時部からの計時情報と前記温度測定手段からの温度情報とに基づく歩度を補正する歩度補正信号を出力し、該歩度補正信号に基づき歩度調整する様に構成したことを特徴とする。
【００１５】
また更に、特定の情報を記憶する情報記憶手段を有し、前記計時部からの計時情報と前記温度測定手段からの温度情報と前記情報記憶手段からの記憶情報とに基づく歩度を補正する歩度補正信号を出力し、該歩度補正信号に基づき歩度調整する様に構成したことを特徴とする。
【００１６】
また、前記歩度調整手段は発振周波数調整手段と分周調整手段とにより構成され、前記発振周波数調整手段は前記歩度補正制御手段からの第１の歩度補正信号を入力して前記発振部からの発振信号を調整し、前記分周調整手段は前記歩度補正制御手段からの第２の歩度補正信号を入力して前記分周部の分周比を調整して前記計時信号の歩度調整を行う様に構成したことを特徴とする。
【００１７】
また、前記計時部はカレンダ情報を計時するカレンダ計時手段を有し、前記計時情報はカレンダ情報であることを特徴とする。
【００１８】
また、前記歩度補正制御手段は、前記カレンダ計時手段からのカレンダ情報に基づき対応する湿度の補正データを演算する湿度補正演算回路を有することを特徴とする。
【００１９】
また、基準信号を発生する工程と、前記基準信号に基づき計時情報を計時する工程と、前記計時情報に基づき歩度の補正値を算出する工程と、前記歩度の補正値に基づき前記基準信号の歩度を調整する工程とを有することを特徴とする。
【００２０】
また、基準信号を発生する工程と、前記基準信号に基づき計時情報を計時する工程と、温度情報を測定する工程と、前記計時情報と前記温度情報に基づき歩度の補正値を算出する工程と、前記歩度の補正値に基づき前記基準信号の歩度を調整する工程とを有することを特徴とする。
【００２１】
また更に、カレンダ情報に基づき対応する湿度の補正データを演算する工程を有することを特徴とする。
【００２２】
【発明の実施の形態】
以下、本発明の実施の形態を図面に基づいて詳細に説明する。図１は本発明の第１の実施の形態である電子時計の構成を示す回路ブロック図であり、図１に基づいて本発明の第１の実施形態の構成を説明する。図１に於いて、１は音叉型水晶振動子（図示せず）を有する発振部としての発振回路であり、２は分周動作を行う分周部としての分周回路である。３は時刻やカレンダを計時し記憶する計時部であり、該計時部３は時刻を計時し記憶する時刻計時回路３ａとカレンダを計時し記憶するカレンダ計時回路３ｂとにより構成される。
【００２３】
４は表示部であり液晶パネル等のデジタル表示装置により構成される。また、本発明の電子時計がアナログ表示時計であれば、表示部４は輪列と指針及びカレンダ表示機構等によって構成される。５は歩度補正制御手段としての歩度補正制御部であり、該歩度補正制御部５は湿度補正演算回路５ａと温度補正演算回路５ｂと歩度補正制御回路５ｃにより構成される。６は温度を測定する温度測定手段としての温度測定回路であり、図示しないがＣＲ発振器によって構成される温度センサと温度カウンタを内蔵する。７は歩度調整手段としての歩度調整部であり、発振周波数調整手段である発振周波数調整回路７ａと分周調整手段である分周調整回路７ｂとにより構成される。８は１次電池又は２次電池等によって構成される電源部であり、各回路や表示部４に電力を供給する。
【００２４】
次に図１の回路ブロック図の電気的な接続関係を説明する。発振回路１は発振信号Ｐ１を出力し、分周回路２は発振信号Ｐ１を入力して計時信号Ｐ２を出力する。発振回路１と分周回路２とにより基準信号発生手段を構成し、発振信号Ｐ１あるいは計時信号Ｐ２の基準信号を出力する。計時部３の時刻計時回路３ａは計時信号Ｐ２を入力して１０秒信号Ｐ３、日信号Ｐ４、時刻表示データＰ５を出力する。計時部３のカレンダ回路３ｂは日信号Ｐ４を入力してカレンダ表示データＰ６とカレンダ情報としての月データＰ７を出力する。表示部４は時刻表示データＰ５とカレンダ表示データＰ６を入力する。
【００２５】
歩度補正制御部５の湿度補正演算回路５ａはカレンダ回路３ｂからの計時情報であるカレンダ情報としての月データＰ７を入力して、該月データＰ７に基づき各々の月に対応する湿度補正データを演算し湿度補正データＰ８を出力する。温度測定回路６は温度データＰ９を出力し、温度補正演算回路５ｂは温度データＰ９を入力して温度補正データＰ１０を出力する。歩度補正制御回路５ｃは湿度補正データＰ８と温度補正データＰ１０を入力し、湿度補正データＰ８と温度補正データＰ１０に基づき歩度の補正値を算出し歩度を補正する第１の歩度補正信号としての発振補正信号Ｐ１１と第２の歩度補正信号としての分周補正データＰ１２を出力する。
【００２６】
歩度調整部７の発振周波数調整回路７ａは発振補正信号Ｐ１１を入力して発振切り替え信号Ｐ１３を出力し、歩度調整部７の分周調整回路７ｂは分周補正データＰ１２と１０秒信号Ｐ３を入力して分周調整データＰ１４を出力する。発振回路１は発振切り替え信号Ｐ１３を入力し、分周回路２は分周調整データＰ１４を入力する。
【００２７】
次に本発明の第１の実施形態である図１の回路ブロック図全体の動作を説明する。電源部８より各回路に電力が供給されると、まず、発振回路１が発振を開始し周波数３２，７６８Ｈｚの発振信号Ｐ１を出力する。分周回路２は発振信号Ｐ１を入力して分周動作を行い、周波数１Ｈｚの計時信号Ｐ２を出力する。計時部３の時刻計時回路３ａは計時信号Ｐ２を入力して秒、分、時の時刻をそれぞれ計時し、１０秒毎にパルスを発生する１０秒信号Ｐ３と、午前０時０分０秒毎にパルスを発生する日信号Ｐ４と、時刻表示データＰ５とを出力する。カレンダ回路３ｂは日信号Ｐ４を入力して日、曜、月、年などのカレンダを計時し、カレンダ表示データＰ６とカレンダ情報としての４ビットの月データＰ７を出力する。表示部４は時刻表示データＰ５とカレンダ表示データＰ６によって時刻やカレンダを表示し、時計として機能する。
【００２８】
次に本発明の第１の実施形態の歩度補正動作を図１及び図２に基づいて説明する。図２は歩度補正動作の全体手順を示すフローチャートである。図２に於いて各動作フローをＳｂ１〜Ｓｂ６として示す。ここで歩度の補正動作が開始されると、まず、温度測定回路６からの温度データＰ９を温度補正演算回路５ｂに送る。温度補正演算回路５ｂは内部で演算処理を実行し温度データＰ９に対応する温度補正データＰ１０を算出し出力する（Ｓｂ１）。
【００２９】
次に湿度補正演算回路５ａは、カレンダ情報としての月データＰ７が前回の補正動作時から更新していないかどうかを判定し、月データＰ７が更新しているときは動作フローＳｂ３に進み、月データＰ７が更新していないときは動作フローＳｂ４に進む（Ｓｂ２）。
【００３０】
月データＰ７が更新している場合は、湿度補正演算回路５ａは新しい月データＰ７を読み込み、内蔵する湿度補正テーブルから月データＰ７に対応する湿度補正データＰ８を算出し出力する（Ｓｂ３）。
【００３１】
次に歩度補正制御回路５ｃは温度補正データＰ１０と湿度補正データＰ８を読み込み、内部で演算処理を実行して歩度補正データを算出し、歩度補正信号としての発振補正信号Ｐ１１と複数ビットによってなる分周補正データＰ１２を出力する（Ｓｂ４）。尚、月データＰ７が更新していないときは、湿度補正データＰ８は前回読み込んだデータをそのまま使用する。
【００３２】
次に歩度調整部７の発振周波数調整回路７ａは、発振補正信号Ｐ１１によって発振回路１の発振周波数を切り替える発振切り替え信号Ｐ１３を生成し、発振回路１の出力である発振信号Ｐ１を調整する。歩度調整部７の分周調整回路７ｂは、分周補正データＰ１２と１０秒信号Ｐ３により分周調整データＰ１４を１０秒毎に出力し、分周回路２の分周比を調整する。この結果、分周回路２は発振補正信号Ｐ１１と分周補正データＰ１２によって歩度が調整された計時信号Ｐ２を出力する（Ｓｂ５）。
【００３３】
歩度調整部７は歩度補正動作を継続し、温度測定回路６と歩度補正制御部５は待機期間に入る（Ｓｂ６）。待機期間終了後、動作フローＳｂ１に進んで温度測定回路６と歩度補正制御部５は再び動作を開始する。以後、歩度補正動作は動作フローＳｂ１〜Ｓｂ６を繰り返し、歩度補正動作を更新しつつ継続する。尚、待機期間は１分間程度が良いが任意に定めることが出来る。
【００３４】
次に本発明の第１の実施形態の歩度補正の主要な各動作フローの詳細を図１と図３と図４及び図５に基づいて説明する。図３は歩度補正の主要な各動作の詳細を示すフローチャートであり、図３（ａ）は温度補正値算出フローチャートであり、各動作フローをＳｂ１１〜Ｓｂ１４で示す。図３（ｂ）は湿度補正値算出フローチャートであり、各動作フローをＳｂ３１〜Ｓｂ３３で示す。図３（ｃ）は歩度補正信号の出力フローチャートであり、各動作フローをＳｂ４１〜Ｓｂ４３で示す。
【００３５】
まず、図３（ａ）と図４に基づいて温度補正値算出フローを詳細に説明する。
温度測定回路６は、内蔵するＣＲ発振器（図示せず）による温度センサを動作させて発振を開始し、内蔵する温度カウンタ（図示せず）でその発振周波数を読み込む（Ｓｂ１１）。
【００３６】
ここで図４は、温度測定回路６に内蔵する温度センサの発振周波数特性と発振回路１の音叉型水晶振動子の発振周波数温度特性の関係図であり、図４（ａ）は温度センサの発振周波数特性を示し、図４（ｂ）は発振回路１の音叉型水晶振動子の発振周波数温度特性を示している。図４（ａ）で示す如く、温度センサの発振周波数は温度に対して非線形の特性を有しており、また、個々の温度センサ毎に感度や傾きのバラツキを持っているが、温度測定回路６は温度カウンタの読み値に対して補正演算処理を行い、温度センサの感度や傾きのバラツキを吸収し温度データＰ９に変換する（Ｓｂ１２）。
【００３７】
例えば、図４（ａ）で示す如く、ある温度のときに温度測定回路６の温度カウンタが発振周波数ｆｓ１を計数したとすると、温度測定回路６は補正演算処理を行って温度データＰ９を出力し、その値は図４（ａ）で示す温度ｔ１となる。
【００３８】
次に図４（ｂ）に示す如く、発振回路１の周波数温度特性は音叉型水晶振動子固有の２次曲線であり、温度に対する周波数ずれ量を△ｆとすると、その式は、△ｆ＝−ａ×（Ｚｔｃ−Ｔ）２＋△ｆ０で示される（計算式１）。但し、ａは２次温度係数、Ｚｔｃは頂点温度、Ｔは温度、△ｆ０は頂点温度での基準周波数（３２，７６８Ｈｚ）に対する発振周波数ずれ量である。
【００３９】
ここで、発振回路１の音叉型水晶振動子は２次温度係数ａ、頂点温度Ｚｔｃ、発振周波数ずれ量△ｆ０が個々のバラツキを持っているが、温度補正演算回路５ｂは音叉型水晶振動子のバラツキを補正する補正データを内部の不揮発性メモリ（図示せず）に記憶しており、その記憶データに基づいて前述の計算式１を補正し発振周波数を算出する（Ｓｂ１３）。
【００４０】
ここで例えば前述した如く、温度測定回路６からの温度データＰ９が温度ｔ１を出力したとすると、温度補正演算回路５ｂは動作フローＳｂ１３で、計算式１の温度Ｔに温度ｔ１を代入して演算を行い、図４（ｂ）で示す如く温度ｔ１における発振周波数ずれ量△ｆ１を算出する。
【００４１】
次に、温度補正演算回路５ｂは動作フローＳｂ１３で算出した発振周波数ずれ量△ｆ１から、基準周波数に対する周波数偏差を算出し温度補正データＰ１０として出力する（Ｓｂ１４）。
【００４２】
次に図３（ｂ）と図５に基づいて湿度補正値算出フローの詳細を説明する。まず、湿度補正演算回路５ａは計時部３からのカレンダ情報としての月データＰ７を読み込む（ｓｂ３１）。
【００４３】
次に湿度補正演算回路５ａは内部にある湿度補正テーブルを参照して読み込んだ月データＰ７に対応する歩度補正値を得る（Ｓｂ３２）。ここで図５に月データＰ７に対応する湿度補正テーブルの一例を示す。この湿度補正テーブルは、先に図１０（ａ）で示した１年間に渡る１月〜１２月までの各月毎の歩度変化データを基にして、歩度の進み遅れの符号を反転した歩度補正値（単位ｐｐｍ）を記憶したものである。尚、月データＰ７はカレンダ回路３ｂから４ビットの１６進数として出力されるので、湿度補正テーブルも月データＰ７を１６進数として表示している。
【００４４】
例えば図５に於いて、月データＰ７が１月を意味する１６進数“０Ｈ”として湿度補正テーブルに入力されると、１月の歩度変化データである＋０．０９ｐｐｍの符号を反転した−０．０９ｐｐｍが歩度補正値として湿度補正テーブルから出力される。また、月データＰ７が歩度誤差の大きい９月を意味する１６進数“８Ｈ”として入力されると、９月の歩度変化データである−０．１７ｐｐｍの符号を反転した＋０．１７ｐｐｍが歩度補正値として歩度補正テーブルから出力される。すなわち、１月のように湿度の影響で歩度が進む傾向にある月では、歩度を遅らせるように補正し、反対に９月のように湿度の影響で歩度が遅れる傾向にある月では、歩度を進ませるように補正する。
【００４５】
次に湿度補正演算回路５ａは、動作フローＳｂ３２で得られた湿度補正テーブルからの出力である歩度補正値を、湿度補正データＰ８として出力し歩度補正制御回路５ｃへ入力する（Ｓｂ３３）。
【００４６】
次に図３（ｃ）に基づいて歩度補正信号の出力フローの詳細を説明する。歩度補正制御回路５ｃは温度補正データＰ１０と湿度補正データＰ８を加算し、温度と湿度の両方に対応する温湿度補正データＰ１５を算出し、内部に記憶する（Ｓｂ４１）。
【００４７】
次に内部に記憶した温湿度補正データＰ１５を定数３．０５で割り算し、商データと余りデータを算出する。尚、定数３．０５は分周回路２で分周調整できる最小分解能の周波数偏差を表している（Ｓｂ４２）。
【００４８】
次に歩度補正制御回路５ｃは、動作フローＳｂ４２で算出した余りデータから第１の歩度補正信号として発振補正信号Ｐ１１を生成し出力する。また、第２の歩度補正信号として動作フローＳｂ４２で算出した商データを分周補正データＰ１２として出力する（Ｓｂ４３）。
【００４９】
次に発振補正信号Ｐ１１を入力して発振周波数の調整を実施する発振回路１と発振周波数調整回路７ａの詳細を説明する。図６は本発明の第１の実施形態である発振回路１と発振周波数調整回路７ａの動作説明図であり、図６（ａ）は発振回路１と発振周波数調整回路７ａの回路図であり、図６（ｂ）は発信周波数調整回路７ａを制御する発振補正信号Ｐ１１のタイミングチャートである。図６（ａ）に於いて、発振回路１はＣ−ＭＯＳ構造のインバータ回路１０、音叉型水晶振動子１１、帰還抵抗１２、出力抵抗１３、入力コンデンサ１４、出力コンデンサ１５によって構成される。
【００５０】
次に発振回路１の動作を説明する。図６（ａ）に於いて、インバータ回路１０は入力端子１０ａと出力端子１０ｂに接続する帰還抵抗１２によって負帰還がかかり、出力端子１０ｂの電圧は電源電圧の約１／２となって、もっとも増幅率の高い状態で安定する。ここで発振回路１に電源が供給されると音叉型水晶振動子１１は発振を開始し、これによって発振周波数に等しい発振信号がインバータ回路１０の入力端子１０ａに入力され、インバータ回路１０によって増幅された発振信号が出力端子１０ｂより出力して音叉型水晶振動子１１に供給される。
【００５１】
この結果、音叉型水晶振動子１１は発振を継続し、インバータ回路１０の出力端子１０ｂから音叉型水晶振動子１１の発振周波数に等しい発振信号Ｐ１が出力する。また、入力コンデンサ１４と出力コンデンサ１５は、発振回路１の位相特性を調整するために設けられ、これらのコンデンサの容量値が変化すると、発振回路１の位相特性が変化するので発振信号Ｐ１の周波数も微妙に変化する。
【００５２】
次に発振周波数調整回路７ａの構成を説明する。図６（ａ）に於いて１６は調整用コンデンサであり、１７はＣ−ＭＯＳ構造のアナログスイッチ（以下ＳＷと略す）である。ＳＷ１７のコントロール端子Ｃは前記発振補正信号Ｐ１１が接続され、ＳＷ１７の入力端子ＩＮは調整用コンデンサ１６の一方の端子と接続し、ＳＷ１７の出力端子ＯＵＴは回路のＧＮＤに接続される。調整用コンデンサ１６の他方の端子は前記発振切り替え信号Ｐ１３として、発振回路１の音叉型水晶振動子１１と出力抵抗１３の接続点Ａに接続される。
【００５３】
次に発振周波数調整回路７ａの動作を説明する。ＳＷ１７はコントロール端子Ｃが論理“０”のときは、入力端子ＩＮと出力端子ＯＵＴが電気的に接続し、コントロール端子Ｃが論理“１”のときは入力端子ＩＮと出力端子ＯＵＴが電気的に遮断される。この結果、発振補正信号Ｐ１１が論理“０”のときは、調整用コンデンサ１６の一方の端子はＳＷ１７を介して回路のＧＮＤに接続されるので、出力コンデンサ１５に対して調整用コンデンサ１６が並列接続されることになり、等価的に出力コンデンサ１５の静電容量は調整用コンデンサ１６の静電容量分が加わり増加する。また、発振補正信号Ｐ１１が論理“１”のときは、調整用コンデンサ１６は回路のＧＮＤと遮断されるので、出力コンデンサ１５の静電容量は増加しない。
【００５４】
ここで発振補正信号Ｐ１１の信号形態を説明する。発振補正信号Ｐ１１は前述した如く、歩度補正制御回路５ｃが算出した温湿度補正データＰ１５を定数３．０５で割り算した余りデータから生成される。この余りデータは８ビットによってなり、その値をｎとするとｎ＝０〜２５５のいずれかとなる。ここで図６（ｂ）は余りデータの値ｎが０、３、２５５のときのそれぞれの発振補正信号Ｐ１１のタイミングチャートを示している。
【００５５】
図６（ｂ）で示す如く、余りデータがｎ＝０のときは、発振補正信号Ｐ１１は常に論理“０”であるので、出力コンデンサ１５の等価的静電容量は最も大きいが、余りデータの値ｎが増加すると調整用コンデンサ１６が遮断される期間（すなわち発振補正信号Ｐ１１が論理“１”となる期間）が増加するので、出力コンデンサ１５の等価的静電容量は減少する。更に、余りデータが最大値のｎ＝２５５のときは、発振補正信号Ｐ１１は連続したパルス信号となるので調整用コンデンサ１６の遮断期間は最大となり、出力コンデンサ１５の等価的静電容量は最小となる。
【００５６】
ここで、発振回路１は出力コンデンサ１５の静電容量が大きいと発振回路１の位相特性が変化して発振周波数は微少ではあるが低くなり、出力コンデンサ１５の静電容量が小さくなるとその発振周波数は微少ではあるが高くなる。よって、余りデータがｎ＝０のときの発振周波数とｎ＝２５５のときの発振周波数の偏差が約３．０５ｐｐｍになるように、調整用コンデンサ１６の静電容量値を設定すれば、発振回路１は発振信号Ｐ１を約３．０５ｐｐｍ／２５５の分解能で、且つ、最大調整幅約３．０５ｐｐｍで調整することが出来る。
【００５７】
次に分周補正データＰ１２を入力して分周比を調整する分周回路２と分周調整回路７ｂの詳細な回路構成と動作を説明する。図７は分周回路２と分周調整回路７ｂの回路図であり、図７に於いて、分周回路２は１５段のフリップフロップ回路（以下ＦＦと略す）によって構成され、初段のＦＦ１のクロック入力端子Φには前記発振信号Ｐ１が入力され、最終段のＦＦ１５の出力端子Ｑからは計時信号Ｐ２が出力する。また、ＦＦ１〜ＦＦ５までのＦＦはセット入力端子Ｓを有している。
【００５８】
分周調整回路７ｂは、５つのＡＮＤゲート２０ａ〜２０ｅによって構成され、ＡＮＤゲート２０ａ〜２０ｅの一方の入力端子は１０秒信号Ｐ３を共通に入力し、他方の入力端子は５ビットの分周補正データＰ１２を入力する。ＡＮＤゲート２０ａ〜２０ｅの５つの出力端子は５ビットの分周調整データＰ１４を出力し、該分周調整データＰ１４は前述の分周回路２のＦＦ１〜ＦＦ５のセット入力端子Ｓに入力される。
【００５９】
次に図７に基づいて分周回路２と分周調整回路７ｂの動作を説明する。周波数３２，７６８Ｈｚの発振信号Ｐ１がＦＦ１のクロック入力端子Φに入力されると、ＦＦ１〜ＦＦ１５は順次分周動作を行い、ＦＦ１５の出力端子Ｑは１Ｈｚ信号である計時信号Ｐ２を出力する。また、分周調整回路７ｂに入力する１０秒信号Ｐ３は１０秒毎に論理“１”となるパルス信号であり、ＡＮＤゲート２０ａ〜２０ｅは１０秒信号Ｐ３が１０秒毎に論理“１”となる瞬間だけ分周補正データＰ１２を通過させて分周調整データＰ１４としてＦＦ１〜ＦＦ５のセット入力端子Ｓに伝達される。
【００６０】
ここで例えば、分周補正データＰ１２の最下位ビットだけが論理“１”であった場合の動作を説明する。この場合は、１０秒信号Ｐ３が論理“１”となった瞬間にＡＮＤゲート２０ａの出力、すなわち、分周調整データＰ１４の最下位ビットだけが論理“１”となってＦＦ１をセットする。ＦＦ１がセットされると、ＦＦ１の出力端子Ｑは直ちに論理“１”となるので、ＦＦ１の出力端子Ｑは１周期の半分だけ周期が短縮する。
【００６１】
すなわちＦＦ１の出力端子Ｑは発振信号Ｐ１を１段分周した１周期約６１μＳの分周信号であるので、ＦＦ１の出力端子Ｑの分周信号は１周期の半分の約３０．５μＳだけ１０秒毎に短縮された信号となる。この結果、約３０．５μＳ短縮された分周信号は、そのまま最終段のＦＦ１５まで分周し伝達されるので、計時信号Ｐ２も１０秒毎に約３０．５μＳ短縮された信号となり、その周波数偏差は約３．０５ｐｐｍである。
【００６２】
次に分周補正データＰ１２の最上位ビットだけが論理“１”であった場合の動作を説明する。この場合は、１０秒信号Ｐ３が論理“１”となった瞬間にＡＮＤゲート２０ｅの出力、すなわち、分周調整データＰ１４の最上位ビットだけが論理“１”となってＦＦ５をセットする。ＦＦ５がセットされると、ＦＦ５の出力端子Ｑは直ちに論理“１”となるので、ＦＦ５の出力端子Ｑは１周期の半分だけ周期が短縮される。
【００６３】
すなわちＦＦ５の出力端子Ｑは発振信号Ｐ１を５段分周した１周期約９７７μＳの分周信号であるので、ＦＦ１の出力端子Ｑの分周信号は１周期の半分の約４８８μＳだけ１０秒毎に短縮された信号となる。この結果、約４８８μＳ短縮された分周信号は、そのまま最終段のＦＦ１５まで分周し伝達されるので、計時信号Ｐ２も１０秒毎に約４８８μＳ短縮された信号となり、その周波数偏差は約４８．８ｐｐｍである。
【００６４】
同様に、分周補正データＰ１２のすべてのビットが論理“１”となると、計時信号Ｐ２は約９４．６ｐｐｍ分短縮された信号となる。このように、分周回路２は分周調整回路７ｂに入力される分周補正データＰ１２のデータ量に応じて分周比を調整し、計時信号Ｐ２の歩度を調整分解能約３．０５ｐｐｍで最大調整量約９４．６ｐｐｍまで調整することが出来る。尚、この実施形態では、分周補正データＰ１２のビット数を５ビットとしたが、ビット数はこれに限定されるものではなく、更に歩度調整幅を広げるためにビット数を増やすことも出来る。
【００６５】
次に、発振回路１と分周回路２の両方の動作による歩度調整を説明する。前述した如く、分周回路２は調整分解能約３．０５ｐｐｍで計時信号Ｐ２の歩度を調整できるが、３．０５ｐｐｍ以下の調整は、発振回路１により調整することが出来る。すなわち、発振回路１の出力である発振信号Ｐ１を調整する発振補正信号Ｐ１１は、前述した如く、温湿度補正データＰ１５を３．０５で割り算した余りデータより生成するので、発振回路１は分周回路２で調整することの出来ない３．０５ｐｐｍ以下の調整を受け持ち、その調整分解能は、余りデータが８ビットであれば３．０５ｐｐｍ／２５５となり非常に高い分解能で歩度調整を実現することが出来る。
【００６６】
以上のように、本発明の第１の実施形態によれば、歩度補正制御部５は温度測定回路６からの温度データＰ９によって温度補正データＰ１０を算出し、また、計時部３からの月データＰ７によって湿度補正データＰ８を算出し、温度変化と湿度変動に対応する発振補正信号Ｐ１１と分周補正データＰ１２とを出力し、歩度調整部７によって発振回路１と分周回路２を制御して、計時信号Ｐ２の歩度を高分解能で調整し補正できるので、温度変化に対する補正だけではなく、気候の推移によって変動する湿度の影響を補正した高精度な電子時計を実現できる。
【００６７】
また、湿度補正データＰ８は計時部３からの計時情報としての月データＰ７によって算出しているが、更に細かな補正を行うために計時部３からの日データを加えてもよく、また、その逆に、大まかな補正でよければ３ヵ月毎や半年毎の季節データを用いてもよい。
【００６８】
次に、本発明の第２の実施の形態を説明する。ここで第１の実施形態で説明した如く、湿度補正演算回路５ａは計時部３からのカレンダ情報に基づき、湿度変化を記憶した湿度補正テーブルを参照して湿度補正データＰ８を算出しているが、１年を通した湿度の変動量は、時計の外部環境、具体的には時計が使用される国や地域ごとに気候が違うので異なったものとなる。また、その湿度変化の影響も、その時計の内部環境、具体的には時計の内部構造や外装構造によって異なったものとなる。
【００６９】
本発明の第２の実施形態は、時計の外部環境や内部環境の影響を考慮して更にきめ細かな歩度補正を実施するものであり、以下図面に基づいて説明する。図８は本発明の第２の実施の形態である電子時計の構成を示す回路ブロック図であり、第１の実施の形態と同一要素には同一番号を付し、重複する説明は省略する。
図８に於いて３０は情報記憶手段としての情報記憶回路であり、Ｐ２０は前記情報記憶回路３０から出力される記憶データであり、該記憶データＰ２０は前記歩度補正制御部５の歩度補正制御回路５ｃに入力される。
【００７０】
次に、図８に基づいて本発明の第２の実施形態の歩度補正動作を第１の実施形態と異なる部分について説明する。図８に於いて情報記憶回路３０は、図示しないが外部とのインターフェース手段により、任意な情報を記憶することが出来る。例えば、情報記憶回路３０は外部環境として時計が使用される国や地域ごとの湿度補正係数を、また、内部環境として時計の製品ごとの湿度補正係数や外装番号ごとの湿度補正係数などを記憶する。
【００７１】
ここで歩度補正動作が開始されると、歩度補正制御回路５ｃは記憶情報回路３０からの記憶情報である記憶データＰ２０を読み込み、外部環境や内部環境ごとの湿度補正係数によって湿度補正データＰ８を補正し、時計の外部環境や内部環境に応じたきめ細かな湿度補正データＰ８ａを算出する。更に歩度補正制御回路５ｃは、算出した湿度補正データＰ８ａと前記温度補正データＰ１０とを演算処理し、発振補正信号Ｐ１１と分周補正データＰ１２を出力し、歩度調整部７は発振回路１と分周回路２を制御して計時信号Ｐ２の歩度調整を実施する。
【００７２】
以上のように、本発明の第２の実施形態によれば、情報記憶手段としての情報記憶回路３０により時計の外部環境や内部環境を記憶し、この外部環境や内部環境のデータを参照して湿度変化に対する時計の歩度調整を実施するので、よりきめ細かな歩度補正が可能となり、更にすぐれた高精度な電子時計を提供することが可能となる。
【００７３】
尚、本発明の実施形態に於いて、歩度補正制御部や計時部等の機能は、マイクロコンピュータによるプログラムによって実現することも可能であるので、第１の実施形態や第２の実施形態の構成に限定されるものではない。また、発振回路１は一般的な時計用水晶振動子である音叉型水晶振動子を用いたが、これに限定されることはなく、温度特性にすぐれたＡＴ型水晶振動子などを用いてもよい。
【００７４】
また図示はしていないが、温度を測定する温度測定手段は無く温度情報に基づく歩度を補正は行わず、図８に示される計時部３からの計時情報であるカレンダ情報としての月データＰ７だけで、又は月データＰ７と情報記憶回路３０からの時計の外部環境や内部環境の特定の情報とに基づき、湿度変化に対してのみ時計の歩度調整を実施することもできる。この様なシステムを導入する環境として、年間を通じて温度（気温）変化がほとんど無く、湿度変化のみ有る場合が考えられる。また、温度特性のすぐれた発振回路を用いことによっても、この様なシステムの導入は可能である。
【００７５】
以上のように本発明の電子時計及びその制御方法によれば、温度測定手段による水晶振動子の温度補正と共に、１年を通しての湿度変動を計時部が出力するカレンダ情報から算出して湿度変化に対する歩度調整を実施するので、温度と共に湿度に対しても安定した高精度な電子時計を提供することが出来る。
【００７６】
また、時計が使われる国や地域などの外部環境データや、時計の内部構造や外装構造などの内部環境データ等により、１年を通した湿度変動を更に補正して歩度調整を実施することも出来るので、よりきめ細かな歩度調整が可能となり、きわめて高精度な電子時計を提供することが出来る。
【００７７】
【発明の効果】
以上説明したように本発明によれば、計時部が出力する計時情報に基づいて歩度補正制御手段が歩度補正信号を出力し、該歩度補正信号に基づいて歩度調整手段が基準信号発生手段が発生する基準信号の歩度を調整して、計時情報の推移に関連した基準信号の歩度変化を補正出来るので、気候の推移等による歩度変化を最小限とするきわめて高精度な電子時計を提供することが出来る。
【図面の簡単な説明】
【図１】本発明の第１の実施の形態である電子時計の構成を示す回路ブロック図である。
【図２】本発明の第１の実施の形態である電子時計の歩度補正動作の全体手順を示すフローチャートである。
【図３】本発明の第１の実施の形態である電子時計の主要な各動作フローの詳細を示すフローチャートであり、図３（ａ）は温度補正値算出フローチャートであり、図３（ｂ）は湿度補正値算出フローチャートであり、図３（ｃ）は歩度補正信号の出力フローチャートである。
【図４】本発明の第１の実施の形態である温度測定回路６に内蔵する温度センサの発振周波数特性と発振回路１の水晶振動子の発振周波数温度特性の関係図であり、図４（ａ）は温度センサの発振周波数特性であり、図４（ｂ）は発振回路１の発振周波数温度特性である。
【図５】本発明の第１の実施の形態である湿度補正演算回路５ａの湿度補正テーブルの一例である。
【図６】本発明の第１の実施の形態である発振回路１と発振周波数調整回路７ａの説明図であり、図６（ａ）は発振回路１と発振周波数調整回路７ａの回路図であり、図６（ｂ）は発信周波数調整回路７ａを制御する発振補正信号Ｐ１１のタイミングチャートである。
【図７】本発明の第１の実施の形態である分周回路２と分周調整回路７ｂの回路図である。
【図８】本発明の第２の実施の形態である電子時計の構成を示す回路ブロック図である。
【図９】従来の音叉型水晶振動子の発振周波数の温度特性図である。
【図１０】従来の温度補償付電子時計の歩度変化特性図であり、図１０（ａ）は１年間の歩度変化特性図であり、図１０（ｂ）は歩度の湿度特性図である。
【符号の説明】
１  発振回路
２  分周回路
３  計時部
３ａ  時刻計時回路
３ｂ  カレンダ回路
４  表示部
５  歩度補正制御部
５ａ  湿度補正演算回路
５ｂ  温度補正演算回路
５ｃ  歩度補正制御回路
６  温度測定回路
７  歩度調整部
７ａ  発振周波数調整回路
７ｂ  分周調整回路
８  電源部
１０  インバータ回路
１１  音叉型水晶振動子
１２  帰還抵抗
１３  出力抵抗
１４  入力コンデンサ
１５  出力コンデンサ
１６  調整用コンデンサ
１７  アナログスイッチ
２０ａ、２０ｂ、２０ｃ、２０ｄ、２０ｅ  ＡＮＤゲート
３０  情報記憶回路
Ｐ１  発振信号
Ｐ２  計時信号
Ｐ３  １０秒信号
Ｐ４  日信号
Ｐ５  時刻表示データ
Ｐ６  カレンダ表示データ
Ｐ７  月データ
Ｐ８  湿度補正データ
Ｐ９  温度データ
Ｐ１０  温度補正データ
Ｐ１１  発振補正信号
Ｐ１２  分周補正データ
Ｐ１３  発振切り替え信号
Ｐ１４  分周調整データ
Ｐ２０  記憶データ
【図１】
2004184199.tif 000003
【図２】
2004184199.tif 000004
【図３】
2004184199.tif 000005
【図４】
2004184199.tif 000006
【図５】
2004184199.tif 000007
【図６】
2004184199.tif 000008
【図７】
2004184199.tif 000009
【図８】
2004184199.tif 000010
【図９】
2004184199.tif 000011
【図１０】
2004184199.tif 000012